(57)【特許請求の範囲】
【請求項１】
ウェッジの内面に螺旋状の挟み刃を形成し、外面の先端部には弾性リングを挟んで円周分割状ウェッジのアッセンブリ状態を保持できるようにしたグラウンドアンカーの引張材除去形内部定着体において、前記ウェッジの内面前半部は挟み刃のない滑り面とし、この滑り面の先端部には円周方向に牽引爪を形成してウェッジ牽引板をかけ、前記牽引爪の後位にウェッジ開きリング用の内部リング溝を形成することを特徴とするグラウンドアンカーの引張材除去形内部定着体用ウェッジアッセンブリ。
【請求項２】
前記ウェッジは外部リング溝の後側に円周方向に後退するときにウェッジロックリングにかかってさらにロックされるロック溝を有する請求項１記載のグラウンドアンカーの引張材除去形内部定着体用ウェッジアッセンブリ。
【請求項３】
前記ウェッジは先端にウェッジ安定リング薙込み用のリンク角が追加される請求項２記載のグラウンドアンカーの引張材除去形内部定着体用ウェッジアッセンブリ。
【請求項４】
前記ウェッジ牽引板はさらに前面の中央にキャップのネジ孔に締結される角ネジを有する請求項１記載のグラウンドアンカーの引張材除去形内部定着体用ウェッジアッセンブリ。
【請求項５】
前記ウェッジ牽引板は前面の中央にキャップのフック孔に入ってフック係止によりさらにロックされる弾性フックを有する請求項１記載のグラウンドアンカーの引張材除去形内部定着体用ウェッジアッセンブリ。
【請求項６】
外面の先端部に外部リング溝が形成され、内面の滑らかな前半部上に牽引爪と内部リング溝が形成され、かつ内面の後半部には挟み刃が形成され、前記外部リング溝の後側にロック溝が形成されたウェッジと、前記牽引爪の裏に係止によりかかり引張材に対する外部定着が解除されるときのその反力によって前記ウェッジを引いて後退するウェッジ牽引板と、前記内部リング溝に入れて前記ウェッジを開けるウェッジ開きリングと、後端に引張材孔が穿孔され、引張材孔の周りに引張材に被覆されたチューブの先端を挟んで固定するチューブ座を形成し、かつ内部にはウェッジ用のウェッジ座とロックリング用のリング座が形成され、先端にキャップをかぶせて締結するウェッジ筒と前記ウェッジとウェッジ間に介入するウェッジ分離膜と、前記ウェッジ筒の先端に締結してウェッジ筒の内蔵物を保護するキャップと、前記ウェッジ筒のリング座とキャップの後端間に位置づけられて、後退するウェッジのロック溝をロックするウェッジロックリングからなるグラウンドアンカー用の引張材除去形内部定着体（ロックリングタイプ）。
【請求項７】
外面の先端部に外部リング溝が形成され、内面の滑らかな前半部上に牽引爪とその後側に内部リング溝が形成され、かつ内面の後半部には挟み刃が形成されたウェッジと、前面の中央に角ネジを有し、前記牽引爪の裏に係止によりかかり引張材に対する外部定着が解除されるときのその反力によって前記ウェッジを引いて後退するウェッジ牽引板と、前記内部リング溝に入れて前記ウェッジを開けるウェッジ開きリングと、後端に引張材孔が穿孔され、引張材孔の周りに引張材に被覆されたチューブの先端を挟んで固定するチューブ座が形成され、内部にはウェッジ用のウェッジ座とロックリング用のリング座が形成され、先端にキャップを締結するウェッジ筒と、前記ウェッジとウェッジ間に介入するウェッジ分離膜と、後面の中央に前記角ネジ用締結用のネジ孔を有し、ウェッジ筒の先端に締結してウェッジ筒の内蔵物を保護するキャップからなるグラウンドアンカー用の引張材除去形内部定着体（角ネジタイプ）。
【請求項８】
外面の先端部に外部リング溝が形成され、内面の滑らかな前半部上に牽引爪が、また牽引爪の後側に内部リング溝が形成され、かつ内面の後半部には挟み刃が形成されたウェッジと、前記内部リング溝に挟まって前記ウェッジを開けるウェッジ開きリングと、後端に引張材孔が穿孔され、引張材孔の周りに引張材に被覆されたチューブの先端を挟んで固定するチューブ座が形成され、内部にはウェッジ用のウェッジ座とロックリング用のリング座が形成され、先端にキャップをかぶせて締結するウェッジ筒と前面の中央に弾性フックを有し、前記牽引爪の後に係止によりかかり引張材の外部定着が解除されるときのその反力によって前記ウェッジを引いて後退するウェッジ牽引板と、前記ウェッジとウェッジ間に介入するウェッジ分離膜と、後面の中央に前記弾性フック用のフック孔とフック係止爪を有してウェッジ筒の先端に締結してウェッジ筒の内蔵物を保護するキャップからなった、退いたウェッジのロック手段がウェッジ牽引板のフックとキャップのネジ孔からなるグラウンドアンカー用の引張材除去形内部の定着体（弾性フックタイプ）。
【請求項９】
外面の先端部に外部リング溝が形成され、内面の滑らかな前半部上に牽引爪と内部リング溝が形成され、かつ内面の後半部には挟み刃が形成され、前記外部リング溝の後側にロック溝が形成され、かつ前記先端面にウェッジ安定リング用のリング角を有するウェッジと、前記内部リング溝に入れて前記ウェッジを開けるウェッジ開きリングと、後端に引張材孔が穿孔され、引張材孔の周りに引張材に被覆されたチューブの先端を挟んで固定するチューブ座が形成され、内部にはウェッジ用のウェッジ座とロックリング用のリング座が形成され一先端にキャップをかぶせて締結するウェッジ筒と、前記牽引爪の裏に係止によりかかり引張材に対する外部定着が解除されるときのその反力によって前記ウェッジを引いて後退するウェッジ牽引板と、前記ウェッジ筒の先端に締結してウェッジ筒の内蔵物を保護し、後端の裏側の角が斜面からなるキャップと、前記ウェッジ筒のリング座とキャップの後端間に位置づけて、後退するウェッジのロック溝をロックするウェッジロックリングと、前記ウェッジとウェッジ間に介入するウェッジ分離膜と、前記リング角に挟んでウェッジ座に位置づけたウェッジを安定させるウェッジ安定リングと、前記ウェッジロックリングと後端間でウェッジ安定リングの裏を支えるリング支えからなるグラウンドアンカー用の引張材除去形内部定着体（ロックリングー安定リングタイプ）。
【請求項１０】
外面の先端部に外部リング溝が形成され、内面の滑らかな前半部上に牽引爪と内部リング溝が形成され、かつ内面の後半部には挟み刃が形成され、かつ前記先端にウェッジ安定リング薙込み用のリング角を形成したウェッジと、前記内部リング溝に入れて前記ウェッジを開けるウェッジ開きリングと、後端に引張材孔が穿孔され、引張材孔の周りに引張材に被覆されたチューブの先端を挟んで固定するチューブ座が形成され、内部にはウェッジ用のウェッジ座とロックリング用のリング座が形成され、先端にキャップを締結するウェッジ筒と一前面の中央に角ネジを有し、前記牽引爪の裏に係止によりかかり引張材に対する外部定着が解除されるときのその反力によって前記ウェッジを引いて後退するウェッジ牽引板と、後面の中央に前記角ネジ締結用のネジ孔を有し、後端の裏側の角が斜面でウェッジの先端に締結してウェッジ筒の内蔵物を保護するキャップと、前記リング角に掛けてウェッジ筒のリング座とキャップの斜面間に支えられウェッジを安定させるウェッジ安定リングからなるグラウンドアンカー用の引張材除去形内部定着体（角ネジー安定リングタイプ）。
【発明の詳細な説明】
【０００１】
【発明の属する技術分野】
本発明は、地中アンカー孔内に定着させた引張材に定着荷重が掛かった状態で引張材の外部定着が解除された瞬間、その引張力に対する反力により引張材が先端のほうにはね飛ぶ力によって引張材の先端をおさえていたウェッジが退き、おさえていたウェッジが解除されることにより引張材が除去できる状態に反転されるウェッジアッセンブリと、前記ウェッジアッセンブリを用いて引抜器などの除去装備なしにとても容易で効率的に引張材が除去できるグラウンドアンカーの引張材除去形内部定着体に関するものである。
【０００２】
【従来の技術】
グラウンドアンカーは、建築および土木構造物を築造または構築するための地下構造物用掘削工事を行ないながら、掘削していない現場付近の地盤が崩壊することを防止するための土止め工事、軟弱地盤切開面の土砂の流出を抑えるための安全手段として広く使われている。
【０００３】
このようなグラウンドアンカーとしては、圧縮形と引張形及び地圧形がある。引張形グラウンドアンカーは一番一般的に使われているが、引張材を除去できないことが短所である。地圧形グラウンドアンカーは先端地圧により拘束されるので工事を終え、引張材を除去する際には困難であつた。
【０００４】
定着力の確保面では引張形グラウンドアンカーは経時的にグラウティング体の引張亀裂により定着力が減少し、地圧形アンカーは先端地圧のできる岩盤だけに適用できる。
【０００５】
グラウンドアンカーは、引張強度の優れた引張材（鋼撚線）を使用して地盤に穿孔したアンカー孔に内部定着体を挿入し、自由長側に引張荷重をかけて定着力を確保することによって、掘削工事時に掘削面に設けた架設土流壁を安定させることとなるが、地下構造物に対する構築工事終了後、地中に引張材をそのまま放置すると以後引接地盤に対する地下構造物の構築工事の障害物になるときがある。したがって、建物が隣接した都心部では引張材の除去工法を適用する例が多くなる趨勢にある。このような所に使用される定着体が引張材除去形内部定着体である。
【０００６】
この分野に属するグラウンドアンカーの引張材除去形用の内部定着体としては特許公報第９６−４２７３号がある。その先行技術は中央の太陽ウェッジ座の周りに衛星ウェッジ座が形成された本体と、円周を二分割または三分割形の太陽ウェッジと衛星ウェッジ座、ここに含まれる太陽ウェッジおよぴ衛星ウェッジ、衛星ウェッジと同数のスペーサ、太陽ウェッジと衛星ウェッジの上向き離脱防止用の上部カバー、および本体にかぶせるキャップからなっている。
【０００７】
しかしながら、前記従来のグラウンドアンカー用の内部定着体は、実質的に引張力を発揮する衛星ウェッジに挟まれた引張材以外に、これら引張材を除去するための引張材回収操作用の引張材、つまり太陽ウェッジに挟まれた引張材とこれを差し挟まれるウェッジを必修構成要件とするので、内部定着体の構成部品数が多く、製作難易度が高く、また回収操作用引張材の追加による製造原価も高い。さらに、引張材を回収するために太陽ウェッジに挟まれた回収操作用の引張材を操作することも煩わしい。
【０００８】
しかも、各スペーサの内面はテーパの回収操作用引張材に応じるテーパが与えられ、側面には隣接した衛星ウェッジのテーパに応じるテーパが与えられ、また外面は本体の中空に相応する円弧面でなければならないなど、形状が複雑で加工と組立難易度も高かった。
【０００９】
また、本体の中心には軸方向に穿孔した中心材孔の後尾にリング溝を設けて中心材用のＣ状係止リングを挟んで中心材孔に挿入された中心材が引張力が作用しない間は本体の後尾側へ脱落しないようにした本体の内部構造もとても複雑なので製作が困難である。
【００１０】
その上、回収操作用引張材を除去する前に引張用引張材を緩く挟む場合、その引張材に定着荷重がかかれば太陽ウェッジから回収操作用の引張材がスライドしてしまうというおそれがある。このような状況が発生すると、当然太陽ウェッジに引かれて退かなければならない回収操作用の引張材が退かず、かつ衛星ウェッジも開かないので全ての引張材が除去不能な状態に直面する。さらに、専用の引抜器を利用しなくては引張材を除去することができないという問題点があった。
【００１１】
上記のようなグラウンドアンカー用の引張材除去形内部定着体の短所を補完したのが公開特許公報第２０００−４７４４５号である。この内部定着体は、一つまたは二つ以上のウェッジ溝を有する本体内に熱可塑性樹脂に電熱体が埋込まれたウェッジ筒受けを収納し、このウェッジ筒受けの上にウェッジ筒を載置したものである。
【００１２】
本体とウェッジ筒のウェッジ座の間に引張材の先端を挟んで地中アンカー孔に挿入し、定着した状態で引張材を引張し、上記電熱体に連結された電線に電流を流すと電熱体の発熱により樹脂成分のウェッジ筒受けが溶ける。このように溶けるウェッジ筒受けは本体の後尾に穿孔された大気空間に落ちる。このときにウェッジはその場に止まるが、ウェッジ筒は引張材にかかった張張力により引張材の外側段に引かれる。この過程で引張材の先端に対するウェッジ挟みが崩れてしまう。引張材はそこにかかった定着荷重により外側段にはねとぶことによって、除去できるようになる。
【００１３】
しかしながら、上記の引張材除去形の内部定着体は、ウェッジ筒受けがウェッジ筒受けの電熱体の電熱によって溶けるときに電熱体に連結された電線の螺旋部分が金属性である本体との接続によるスパークの危険がある。またウェッジ筒受けが溶ける間に断線事故が発生する場合には、それ以上はウェッジ筒が退かずウェッジ挟みが完璧に解けないため引張材を回収することができない。かつ、ウェッジ筒受けの樹脂が特殊樹脂なので成形性が低く、また製造原価も高い。
【００１４】
【発明が解決しようとする課題】
本発明の目的は、定着荷重がかかったグラウンドアンカーで引張材に対する外部定着が解除される瞬間、引張材に作用していた定着荷重に応じる反力により引張材が内部定着体のウェッジ筒の先端側にはね飛ぶときのエネルギー、または外部定着が解除された引張材の外部操作によりウェッジを後退させて、引張材の先端部に対するウェッジ挟みを解除させて除去できるグラウンドアンカーの引張材除去形内部定着体用ウェッジアッセンブリを提供することを課題とする。
【００１５】
本発明の他の目的は、前記ウェッジアッセンブリを使用し、引抜器などの除去装備なしにもとても容易でまた効率的に外部定着が解除された引張材が除去できるグラウンドアンカー用の引張材除去形内部定着体を提供することを課題とする。
【００１６】
【課題を解決するための手段】
前記第１課題を解決するために、ウェッジの内面に螺旋状の挟み刃を形成し、外面の先端部には弾性リングを挟んで円周分割状ウェッジの円周分割状態を保持できるようにしたことは、前記ウェッジの内面前半部は挟み刃のない滑り面とし、この滑り面の先端部には円周方向に牽引爪を形成してウェッジ牽引板をかけ、前記牽引爪の後位にウェッジ開きリング用の内部リング溝を形成してウェッジ開きリングを挿入することによってグラウンドアンカーの引張材除去形内部定着体で引張材に対する外部定着が解除されたときに、その定着荷重に応じる反力により牽引板がウェッジを引いて後退し、引張材の先端部に対するウェッジ挟みが解除されるよう構成したウェッジとウェッジ牽引板からなるウェッジアッセンブリを提供することを特徴とする。
【００１７】
前記第２課題を解決するための一実施例に係るグラウンドアンカーの引張材除去形内部定着体を地中アンカー孔に定着し、かつ、引張材に定着荷重がかかった状態でその定着荷重を除去するために引張材の外部定着体側の端部を切断すると定着荷重に応じる反力がウェッジの牽引爪にかかった牽引板を押して、牽引板は全ウェッジを引いて後退する。
【００１８】
そしてウェッジは内蔵されたウェッジ開きリングにより開いて引張材の先端部に対するウェッジ挟みを解除するようになる。また、退くウェッジはその外面の中間部に形成されたロック溝がウェッジ筒先端部のリング座とウェッジ筒に締結されたキャップの後端間に溜っていたＣ状の弾性ロックリングに一致した瞬間、前記ロックリングが縮まってロック溝をかかって退き開いたウェッジをロックするとによってウェッジ挟みが解除された引張材を除去するときにウェッジがついていかないのでスムーズに引張材を除去することができる。つまり、退いたウェッジロック手段がウェッジロックリングとロック溝を有するウェッジからなるグラウンドアンカーの引張材除去用ロックリング状内部定着体を提供することを特徴とする。
【００１９】
前記第２課題を解決するための他の実施例に係るグラウンドアンカーの引張材除去形内部定着体を地中アンカー孔に定着し、かつ、引張材に定着荷重をかけた状態でその定着荷重を解除すると定着荷重に応じる反力がウェッジの牽引爪にかけた角ネジー体形牽引板を押し、牽引板は全ウェッジを引いて後退する。
【００２０】
この場合、各ネジはウェッジ筒の先端に締結されたキャップのネジ孔の後端につく。この状態でアンカー孔の外側で定着荷重が解除された引張材の外側端部を取って各ネジのネジ方向に回すと各ネジがキャップのネジ孔に締結されながら牽引板と全ウェッジを引いていく。ウェッジは後退しながら内蔵されたウェッジ開きリングにより遠心方向に開く。
【００２１】
このような一連の動作をしながら、つい、ウェッジで引張材が空回りをするとき、たとえ、ウェッジ挟みが解除される時期が到来する。一応、退いたウェッジはキャップのネジ孔に各ネジが締結された牽引板に牽引爪がかかったウェッジはウェッジ挟みが解除された引張材を引抜するときについていかないようになるので、定着荷重が解除された引張材を容易に引抜して除去することができる。つまり、退いたウェッジロック手段が各ネジを有する牽引板とそのネジ孔を有するキャップからなるグラウンドアンカーの引張材除去用各ネジ状内部定着体を提供することを特徴とする。
【００２２】
前記第２課題を解決するための他の実施例に係るグラウンドアンカーの引張材除去形内部定着体を地中アンカー孔に定着し、引張材に定着荷重をかけた状態でその定着荷重を解除すると定着荷重に応じる反力がウェッジの牽引爪にかかった弾性フックー体形牽引板を押し、牽引板は全ウェッジを引いて後退する。
【００２３】
この場合、前記弾性フックはウェッジ筒の先端に締結されたキャップのフック孔に入ってその係止爪にかかる。また、ウェッジは退くながら内蔵されたウェッジ開きリングにより遠心方向に最大限開いて引張材の先端部に対するウェッジ挟みを解除する。その状態でアンカー孔の外側で定着荷重が解除された引張材を引抜するとキャップの係止爪にかかってロックされた牽引板に牽引爪がかかったウェッジはウェッジ挟みが解除された引張材を除去してでも引張材についていかない。それで定着荷重が解除された引張材を容易に引張って除去することとなる。つまり、退いたウェッジロック手段が弾性フックー体形牽引板とその係止爪を有するキャップからなるグラウンドアンカーの引張材除去用フック状内部定着体を提供することを特徴とする。
【００２４】
前記第２課題を解決するための他の実施例に係るグラウンドアンカーの引張材除去形内部定着体としては、引張材の先端部が挟まったウェッジをウェッジ筒に内蔵し、ウェッジ筒の先端にキャップを締結した状態でウェッジ安定リングによりウェッジの姿勢を安定するようにしたロックリングー安定リング状内部定着体とネジ角状内部定着体、また前記形式別内部定着体を二個以上並列に配置した複数形内部定着体などがある。
【００２５】
【発明の実施の形態】
本発明の実施の形態を図面に基づいて詳細に説明する。図１は、土留壁ａを安定させるために設置する引張材除去形グラウンドアンカーで少なくとも一本以上の引張材ｂの先端部を内部定着体ｃ内のウェッジに挟んで地中に穿孔されたアンカー孔ｄに挿入して、アンカー孔ｄの定着区間にグラウト材ｅを充填定着し、引張材ｂに設計定着荷重をかけて土留壁ａの帯杖に外部定着体ｇで定着するものである。
【００２６】
図２は、グラウンドアンカーの引張材除去形内部定着体に使用するウェッジアッセンブリは基本的にウェッジ１０とウェッジ牽引板２０とからなる。ウェッジ１０は円周を２又は３等分し、円周方向に配列することになる。既存のグラウンドアンカーの引張材除去形内部定着体用のウェッジは外面全体がテーパー状になっており、外面の先端部には円周方向に外部リング溝１１が形成されているし、内面の前半には挟み刃１２が形成されている。外部のリング溝１１は円周方向に配列される２又は３個のウェッジ１０の組合状態が崩れないようゴムリングを環挟する溝である。
【００２７】
本発明に係るウェッジ１０は、外面の前半部１３は直面である。これは外部定着が解除された引張材により引張材の先端部を挟んでいたウェッジ１０がウェッジ筒の先端側に退く過程で遠心方向にウェッジ１０が開いて引張材の先端部に対するウェッジ挟みが解除されやすくするためにウェッジ筒の内面先端部との間に最小限のウェッジ開き用のスペースを確保するには必要な部分である。
【００２８】
前記ウェッジ１０の内面前半部１４には挟み刃１２を形成せずその半径も挟み刃１２部分よりは大きくし、引張材の先端部がウェッジ１０に挟まれないようにする。このような内面前半部１４の構造は地中アンカー孔に設置されたグラウンドアンカーにより引張材の外部定着が解除されることによって、引張材の反力により退くウェッジ１０から引張材の先端部に対するウェッジ挟みが容易に解除されるのにとても重要な役割を果すことになる。
【００２９】
内面前半部１４の先端には円周方向に牽引爪１５を形成する。この牽引爪１５はウェッジ筒の中に引張材の先端を差し込んでウェッジ１０に挟めるときに引張材の挿入長さを決定する要素であり地中アンカー孔に定着した内部定着体の引張材に定着荷重がかかった状態で引張材の外部定着が解除されたときに定着荷重に相応する反力によって、引張材が内部定着体に先端側にはねとぶときにその引張材の反力により内部定着体に入っている全ウェッジ１０を一挙に引いていく牽引板の前縁を爪掛けさせる所である。
【００３０】
内面前半部１４の後段には円周方向に内部リング溝１６を形成する。内部リング溝１６には常に遠心方向にウェッジ１０を開いてくれる開きリングが挟まる溝である。前記ウェッジ１０は退いたウェッジを固定させるウェッジロック手段が角ネジー体形ウェッジ牽引板とネジ孔を有するキャップからなる角ネジ状内部定着体と、フックー体形ウェッジ牽引板とフック孔およびフック係止爪を有するキャップからなるフック状内部定着体に適合である。
【００３１】
ウェッジ牽引板２０は、地中アンカー孔内に内部定着体が定着し、その引張材に定着荷重がかかった状態で引張材の外部定着が解除される瞬間、その定着荷重に相応する反力により引張材がウェッジ筒の前にはねるときにその力によってウェッジ１０を引張って引張材に対するウェッジ挟みが解除されるようになるもので円形金属板である。
【００３２】
ウェッジ牽引板２０はウェッジ１０に引張材の先端部を挟み、ウェッジ筒に入れた内部定着体を地中アンカー孔に挿入して定着させてから、その引張材が除去されるまで前記牽引爪１５に前掛され、外部定着が解除された引張材の反力をウェッジ１０に伝達しなけらばならないので定着荷重に相応する反力に対する変形に対備して充分に強度を持ったなければならないし、また牽引爪１５の前に没らないよう半径も充分でなければならない。
【００３３】
図３は、他の実施例に係るウェッジ１０ａは退いたウェッジをロックリングをもってロックするロックリング状内部定着体に適したもので、前記基本形ウェッジ１０において外部リング１１の後方にロック溝１７を追加したものである。このロック溝１７は定着荷重がかかった引張材で外部定着が解除される瞬間、その反力によりウェッジ筒の先端側に引張材がはねる力に押され、ウェッジ１０ａが退くときにウェッジ筒のリング座とキャップの後端間に位置していたロックリングによりロックされて退いたウェッジ１０ａが前後に移動しないよう入れ囲んで以後ウェッジ挟みが解かれた引張材を引抜するときにそのウェッジ１０ａが付いていかないようにすることによって、引張材の引抜除去作業が順調に行われるようにしたものである。
【００３４】
この場合、前記外部リング溝１１は浅く、その先後端の縁は緩い曲面に処理する。これは前記外部リング溝１１にゴムリングの代りにロックリングをかけて普段はロックリングによりウェッジのアッセンブリー状態が保持され、定着荷重がかかることによって引張材が引張方向に移動するときと、引張材の外部定着が解除されることによって、引張材の反力によりウェッジが退くときにロックリングで外部リングがはずれてウェッジ１０ａの前進および後退が順調に行われるようにする。
【００３５】
図４は、また他の実施例に係るウェッジ１０ｂは退いた後これをロックするロックリング状内部定着体と、ロックリングを使用しない角ネジ状およびフック状内部定着体に全部適用できるウェッジであって、前記基本形ウェッジ１０又はロックリング状ウェッジ１０ａの先端にウェッジ安全リングをかけるためのリング角１８を追加したことが特徴である。
【００３６】
リング角１８はウェッジ筒の引張材孔に引張材の先端部を挟んでそのウェッジに挟み、キャップをかぶせて組立した内部定着体の取り扱いや現場への運搬、そしてアンカー孔に内部定着体を挿入して定着させるまで引張材の先端部に対するウェッジ挟みが崩れないで保持されるようにウェッジ筒のリング座とキャップの後端間に位置するＣ状安全リングを開いて挟むためのものである。
【００３７】
図５は、また一つの実施例に係るウェッジ１０ｃは内面前半部１４ａを牽引爪１５の骨のような半径に形成したものである。このウェッジ１０ｃは前面に角ネジが一体に形成され、後面に引張材の先端を挟む引張材キャップが形成されたウェッジ牽引板を使用する内部定着体用である。
【００３８】
図６は、他の実施例に係るウェッジ牽引板２０ａは基本形ウェッジ牽引板２０の前面にキャップのネジ孔に締結される角ネジ２１を一体と形成したものであって、引張材の外部定着が解除させてからその引張材の外側端部を取ってウェッジ１０、１０ｃの挟み刃１２とは反対方向にねじてそのウェッジ１０、１０ｃから外れるようにするにも引張材の先端部に対するウェッジ挟みが完全に外れなかった場合、そのウェッジ１０、１０ｃ上でウェッジ牽引板２０ａを回転させてキャップのネジ孔に締結することによってウェッジ牽引板２０ａが全ウェッジ（１０又は１０ｃ以下同じ）を引いて後退し、開くようにするウェッジ牽引手段であると同時に退いて引張材の先端部に対するウェッジ挟みが完全に解除され、その引張材を引抜して除去するときに退いたウェッジ１０が付いて来ないように閉じ込めるウェッジロック手段である。したがって、ここではロック溝１７とウェッジリックリングは不要である。
【００３９】
図７は、また他の実施例によるウェッジ牽引板２０ａ′は周面に少なくとも一つあるいは側角２２を形成したものである。この側角２２は図８のごとく、ウェッジ１０、１０ｃを円周方向に配列するときにウェッジ（１０又は１０ｃ以下同じ）の側間に挟んで外部定着が解除された引張材ｂを除去するために一側に回す力がそのままウェッジ１０に伝われるようにすることによつて、ウェッジ牽引板２０ａ′の角ネジ２１をキャップのネジ孔にスムーズに締結するのに有効である。
【００４０】
図９は、角ネジ状ウェッジ牽引板２０ａ′の変形例を示すもので、後面に角ネジ２１の軸方向と同じ方向に引張材の横断面輪廓およびその断面績と同等する正六角形引張材溝２４が与えられた引張材キャップ２３を一体として形成したものである。前記引張材溝２４に引張材の先端を挟むとぴったり合う。それでこのウェッジ牽引板２０ａ″は外部定着が解除された引張材を一側に回すときの力が引張材キャップ２３を通してウェッジ牽引板２０ａ″に伝われることによって、その角ネジ２１をキャップのネジ孔に締結させることになる。
【００４１】
図１０は、前記ウェッジ牽引板２０ａの角ネジ２１を弾性フック２５に切り替えしたウェッジ牽引板２０ｂに関するもので、キャップのネジ孔座に前記弾性フック２５が入ってかかるフック孔とフック係止爪が形成されたキャップを退いたウェッジ用ロック手段とする内部定着体用である。
【００４２】
弾性フック２５は引張材の後段に対する外部定着が解除された瞬間、その間かかっていた定着荷重の反力により引張材が先端側にはねるときに全ウェッジ１０を引いていくウェッジ牽引板２０ｂと一緒に前進しながらキャップのフック孔に入るときは弾力的に縮まる。フック孔を通過してすぐ弾力的に開いてフック係止爪にかかるので後ほど外部定着が解除された引張材を引抜するときにすでに退いてウェッジ挟みが解除された状態のウェッジ１０がその引張材に引かれてこないようにロックする退いたウェッジロック手段である。
【００４３】
次は、前記ウェッジ１０、１０ ａ〜ｃとウェッジ板２０、２０ａ〜ｂ別グラウンドアンカーの引張材除去形内部定着体について説明する。本発明で提供する内部定着体は定着荷重がかかった状態で外部定着が解除された引張材によって退き、引張材の先端部に対するウェッジ挟みが解除されてから引抜除去される引張材にウェッジが付いてこないようにロックする退いたウェッジ用ロック手段の類型によってロックリング状、角ネジ状、フック状内部定着体など大分して３種類として分類するができる。以下では退いたウェッジロック手段の種類別の内部定着体と、これに適したウェッジおよびウェッジ牽引板の用途を中心として説明する。
【００４４】
＜ロックリング状内部定着体（ｃｌ）＞
図１１は、ロックリング状内部定着体ｃ１は前記ウェッジの中でさらに基本形のウェッジでロック溝１７を有するウェッジ１０ａ、基本形ウェッジ牽引板２０、ウェッジ開きリング３０、ウェッジロックリング３２、ウェッジ筒４０、ウェツジ分離膜５０、およびキャップ６０からなる。
【００４５】
ウェッジ開きリング３０はウェッジ１０ａの内部リング溝１６に挿入して円周方向に配列された複数のウェッジ１０ａを遠心方向に開けるもので、Ｃ状弾性リングである。ウェッジロックリング３２は強力なＣ状弾性リングであり円周方向に配列されたウェッジ１０ａの外部リング溝１１に挟んでその配列状態を維持した状態でウェッジ筒４０のリング座４５にかけ、ウェッジ筒４０にかぶせたキャップ６０の後端により閉じ込めて引張材の外部定着解除時までその座にとどめながら引張材の外部定着が解除されたときに退くウェッジ１０ａのロック溝１７がやってきて一致した瞬間、弾力的に縮まりウェッジ１０ａのロック溝１７をロックするものである。ここで、ロック溝１７とウェッジロックリング３２は退いたウェッジロック手段である。
【００４６】
ウェッジ筒４０は内部に逆円錐状ウェッジ座４１と、ウェッジ座４１の後端に形成された引張材孔４２と、引張材孔４２の周りにチューブ座４６が各々形成されており、またウェッジ座４１の前側にはウェッジ１０ａが退きながら遠心方向に開くスペースを確保するための直壁形の余裕部４３と、キャップ６０締結用ネジ４４および前記余裕部４３の先端にウェッジロックリング用のリング座４５を形成したものである。
【００４７】
ウェッジ分離膜５０は、外部定着が解除された引張材の反力によりウェッジ１０ａが退き、引張材に対するウェッジ挟みを解除するときにウェッジ筒４０のウェッジ座４１でウェッジ１０ａが容易に分離されるようウェッジ座４１とウェッジ１０ａ間に介入させ、ウェッジ座４１にウェッジ１０ａが付かないようにするもので、非粘着性樹脂フィルム・石綿・ガラス繊維などがある。また、キャップ６０はウェッジ筒４０の先端に締結してウェッジ筒４０の内蔵物を保護するもので、周面にはウェッジ筒４０のネジ４４に応じるネジ６１が形成されている。符号６２はリングパッキングである。
【００４８】
図１２は、ウェッジ牽引板２０とウェッジ開きリング３０を並列し、所要数のウェッジ１０ａは一つずつその牽引爪１５をウェッジ牽引板２０の前縁にまたがせて、ウェッジ開きリング３０には内部リング溝１６を合わせ挟む。そして外部リング溝１１にはウェッジロックリング３２を挟んでウェッジ１０ａの組合状態を維持する。その後、チューブｈにかぶせた引張材ｂの先端部は引張材孔４２を介してウェッジ筒４０に差し込む。
【００４９】
また、ウェッジ１０ａの後端側を遠心方向に開けて先端がウェッジ牽引板２０につくまで引張材ｂの先端部を差し挟める。ウェッジ筒４０のウェッジ座４１にはウェッジ分離膜５０を敷く。ウェッジ分離膜５０はウェッジ１０ａの円周面と同じく又は若干小さく裁断してウェッジ１０ａの円周面に付着しても同じである。引張材ｂの先端部を挟まれたウェッジ１０ａはウェッジ筒４０の先端側から挿入してウェッジロックリング３２がリング座４５にまたがらせてからウェッジ筒４０の先端にキャップ６０を締結してシールする。
【００５０】
この場合、キャップ６０はウェッジロックリング３２を軽く押してウェッジ１０ａのロック溝１７がついてきたときに弾力的に縮まる余地を残す。チューブｈは先端がチューブ座４６に付くように押し入れ、糸材をもってシールしてそのすき間に水気が入り込まないように措置するとロックリング状内部定着体ｃ１と引張材ｂおよびチューブｈとのアッセンブリーが仕上がる。
【００５１】
図１３は、このように組み立てたロックリング状内部定着体ｃ１では牽引爪１５の後側のそばや牽引板２０の周面の間およびウェッジ筒４０の余裕部４３とウェッジ１０ａの外面前半部１３の間には側空間Ｓｌ、２が残る。これら側空間Ｓ１、２が存在することによって以後退くウェッジ１０ａは、先端側は遠心方向に縮んで、後段側は遠心方向に開きやすい。
【００５２】
図１４は、引張材ｂの先端が挟まった前記内部定着体ｃｌを地中アンカー孔ｄに挿入し、定着区間にグラウト材ｅを充填し定着させてから前記引張材ｂに定着荷重をかけて外部定着体をもって帯杖などに定着させる。グラウンドアンカー用引張材として多く用いる１２．７ｍｍ鋼撚線（ＰＣ stand）の限界降伏荷重は１５トンを若干超える。
【００５３】
しかし、グラウンドアンカー用引張材として使用するときの設計定着荷重は大体１０〜１１トンである。内部定着体ｃｌの最初組立当時には引張材ｂの先端部に対するウェッジ挟みが若干緩んでいるが引張材ｂに引張力がかかりはじめたらその引張材ｂにウェッジ１０ａが引かれながらウェッジ座４１との相互作用により固く締めつきながらさらに強く引張材ｂの先端部を挟むようになる。そういったウェッジ１０ａがある時点に到達するとウェッジ筒４０内でそれ以上は動かない。
【００５４】
図１５は、地下構造物工事を終え、引張材ｂの外部定着を解除する。引張材ｂの外部定着解除は図１で外部定着体９を除去する方法と、外部定着体９の手前の裏側引張材部分ｉを溶接機で切断する方法がある。後者の方法がより優れているがいずれにしても引張材ｂの外部定着を解除する瞬間引張材ｂには定着荷重に相応する反力が作用する。
【００５５】
このときの反力により引張材ｂは先端側にはね飛ぶ。引張材ｂがはねとびながらウェッジ牽引板２０を押す。よって、ウェッジ牽引板２０は全ウェッジ１０ａの牽引爪１５を一挙にかけて引いていく。そうしてウェッジ１０ａが退くのである。だが、ウェッジロックリング３２はキャップ６０の後端により制止されるのでその位置に止まる。同時に、外部リング溝１１はウェッジロックリング３２から外す。
【００５６】
このようにウェッジ１０ａが退く途中、必ずそのロックリング溝１７がウェッジロックリング３２の内面と一致するときがくる。その場合は、内面に対する障害物、つまり、ロックリング溝１７の前側ウェッジ１０ａの外面部分を外したウェッジロックリング３２はリング座４５とキャップ６０の後端間で弾力的に羽飛んで縮むロック溝１７をかける。こうしてウェッジ１０ａはその位置で前後に動かない。このようにウェッジ１０ａが退く間ウェッジ開きリング３０は弾力的に膨張して全ウェッジ１０ａを遠心方向に開けてくれる。
【００５７】
引張材ｂとウェッジ１０ａ、ウェッジ牽引板２０およびウェッジ開きリング３０、このような一連の動きはウェッジロックリング３２によりロック溝１７がかかると同時に停止される。この状況ならウェッジ１０ａは完全に開く。それで今までウェッジ１０ａにより挟まれていた引張材ｂの先端部が初めて開放されることになるのである（２点破断線で表示）。
【００５８】
引張材ｂは地中アンカー孔内での腐食防止や後から除きやすくする目的でその表面にグリーズ潤滑剤を塗布し、チューブｈをかぶせて保護する。それからチューブｈは地中アンカー孔内のグラウト材により固定された状態である。それで引張材ｂを引抜除去してもチューブｈはアンカー孔にそのまま残る。したがって、引張材ｂの先端部に対する内部定着体ｃ１側ウェッジ１０ａのウェッジ挟みが解除されれば人の力だけで引張材ｂを引抜除去してもよいほど簡単に除去することができる。
【００５９】
＜角ネジ状内部定着体（ｃ２）＞
図１６は、角ネジ状内部定着体ｃ２は角ネジ２１一体形ウェッジ牽引板２０ａと角ネジ締結用のネジ孔６３が形成されたキャップ６０ａを退いたウェッジ用ロック手段としたものである。この場合、ロックリング溝１７とウェッジロックリング３２は不要である。ただし、ウェッジは牽引爪１５を有するものであれば全て適用できる。ここでは基本形のウェッジ１０を適用した例を上げる。
【００６０】
ウェッジ開きリング３０とウェッジ筒４０およびウェッジ分離膜５０は前述したロックリング状内部定着体ｃｌと同様である。前記ロックリング状内部定着体ｃ１で外部リング溝１１にはウェッジロックリング３２の代りにゴム製の弾性リング３４に切り替える。キャップ６０ａのネジ孔６３の先端は穿孔していないので地中アンカー孔内での水密性は強い。
【００６１】
ウェッジ１０とウェッジ牽引板２０ａおよびウェッジ開きリング３０を組み立てるときに角ネジ２１がウェッジ筒４０の先端側に露出されるようにし、前記ロックリング状内部定着体ｃｌと同様の順序に組み合わせ、外部リング溝１１にゴム製の弾性リング３４を挟んでウェッジ１０の組合状態を維持する。ウェッジ筒４０の引張材孔３２を通してチューブｈをかぶせた引張材ｂの先端部を差し込んでその先端がウェッジ牽引板２０ａの後面につくまで入れて、ウェッジ１０に挟む。ウェッジ筒４０のウェッジ座４１にウェッジ分離膜５０を敷いて引張材ｂの先端部が挟んだウェッジ１０をウェッジ筒４０に安置してウェッジ筒４０の先端にキャップ６０ａを締結する。
【００６２】
この場合、キャップ６０ａのネジ孔６３の縁が角ネジ２１の先端を押す。よって、ウェッジ牽引板２０ａの後面縁は牽引爪１５の後爪１５ａにつき、ウェッジ１０を押して動かないようにする。そうすると、引張材ｂの先端を挟んだウェッジ１０が安定し、取リ扱い中にウェッジ１０とウェッジ筒４０に加わる衝撃や振動、引張材ｂの揺動などによりウェッジ挟みが緩まない。チューブｈは先端がチューブ座４６につくよう押し入れて糸材でシールしてそのすき間に水気が入り込まないように措置することで内部定着体ｃ２と引張材ｂおよぴチューブｈとのアッセンブリーが仕上がる。
【００６３】
図１７は、引張材ｂの先端が挟んだ前記内部定着体ｃ２を地中に穿孔したアンカー孔に挿入し、定着区間にグラウト材を充填して養生し、引張材ｂに定着荷重をかけて定着させた例を示した。内部定着体ｃ２の最初の組立当時には引張材ｂの先端部に対するウェッジ挟みが緩んでも前記のような大きい定着荷重が引張材ｂに作用しはじめてからは引張材ｂによりウェッジ１０が引かれる。
【００６４】
この過程でウェッジ１０はウェッジ座４１との相互作用により固く締めつけられながら強く引張材ｂの先端部を挟むようになる。この際に、ウェッジ牽引板２０ａもウェッジ１０に引かれる。こういうウェッジ１０がある時点に到達するとウェッジ筒４０内でそれ以上は動かない。ウェッジ牽引板２０ａも同様である。それから引張材ｂには本格的に定着荷重がかかりはじめ、最終定着荷重は引張材ｂに対する外部定着が解除されるまで持続される。
【００６５】
図１８は、引張材ｂの外部定着を解除する瞬間、定着荷重に相応する反力により引張材ｂは先端側にはねとぶ。引張材ｂがはねとびながらウェッジ牽引板２０ａを押す。ウェッジ牽引板２０ａは全ウェッジ１０の牽引爪１５を一挙に引張っていく。このような動きは角ネジ２１の先端がネジ孔６３の縁につく瞬間止まる。つまり、引張材ｂに定着荷重がかかる以前の状態に復帰するのである。
【００６６】
この状態で引張材ｂの外側端を取って角ネジ２１のネジ方向に回す。そうすると角ネジ２１はキャップ６０のネジ孔６３に締結される。ネジ孔６３に角ネジ２１が締結しながらウェッジ牽引板２０ａは全ウェッジ１０を一挙に引いていく。ウェッジ１０はウェッジ牽引板２０ａに引かれる間、ウェッジ開きリング３０により遠心方向に開く。同時に、引張材ｂはウェッジ１０の挟み刃１２からたんだん外す。こうして最後に引張材ｂの先端部がウェッジ１０で空回りをするときがくる。いい変えると引張材ｂの先端部に対するウェッジ挟みが解除されるということである。
【００６７】
引張材ｂの先端部に対するウェッジ挟みが解除された状態でそのまま引抜すると引張材ｂが抜けてくる。でも、ウェッジ１０とウェッジ牽引板２０ａは引張材ｂについていかない。なぜかというと、引張材ｂの先端部に対するウェッジ挟みが完全に解かれた状態でキャップ６０ａのネジ孔６３に締結された角ネジ２１がウェッジ牽引板２０ａをロックした状態であり、しかも、ウェッジ牽引板２０ａの縁にウェッジ１０の牽引爪１５がかかって引張材ｂを引抜してもその方向にウェッジ１０が引っ張られていかないからである。
【００６８】
＜他の実施例に係る角ネジ状内部定着体（ｃ２′）＞
図１９は一前記角ネジ状内部定着体ｃ２のウェッジ１０と角ネジ状ウェッジ牽引板２０ａをウェッジ１０ｃと角ネジ２１引張材キャップ２３状ウェッジ牽引板２０ａ″に切り替えた場合であって一外部定着が解除された引張材ｂをねじってネジ孔６３に角ネジ２１を締結するときにその引張材ｂをねじる力がそのままウェッジ牽引板２０ｂ″に伝わることによってさらに前記角ネジ状内部定着体ｃ２′よりも容易に引張材を除去することができる。
【００６９】
＜フック状内部定着体（ｃ３）＞
図２０は、基本形ウェッジ１０とフック状内部定着体ｃ３は弾性フック２５を有するウェッジ牽引板２０ｂ、フック孔６４とフック係止爪６５が形成されたキャップ６０ｂを退いたウェッジ用ロック手段とするフック状内部定着体ｃ３であって、その他の構成要素と組み立て順序は各ネジ状内部定着体ｃ２、ｃ２′と同様である。
【００７０】
引張材ｂの先端を挟んだウェッジ１０をウェッジ分離膜５０が敷かれたウェッジ筒４０のウェッジ座４１に挿入してからキャップ６０ｂを締結した場合に、弾性フック２５はフック孔６４の縁に軽く接触し一ウェッジ牽引板２０ｂの後側縁はウェッジ１０の後爪１５ａを押して引張材ｂの先端部に対するウェッジ挟みが緩まないようにする。
【００７１】
図２１は一引張材ｂの先端が挟んだ前記内部定着体ｃ３を地中アンカー孔ｄに挿入し・定着区間にグラウト材ｅを充填して定着させた後、引張材ｂに定着荷重をかけた状態を示したものである。内部定着体ｃ３の組立て初期には引張材ｂの先端部に対するウェッジ挟みが緩んでいるが、とにかく一その挟み刃１２に引張材ｂの先端部が挟んだことは確実なので前記のように定着荷重が引張材ｂにかかるときからウェッジ１０は引張材ｂに引っ張られる。
【００７２】
この過程でウェッジ１０はウェッジ座４１との相互作用により固く締めつきながらさらに強く引張材ｂの先端部を挟むようになる。この際に、ウェッジ牽引板２０ｂはウェッジ１０に引かれる。こういうウェッジ１０がある時点まで到達するとウェッジ筒４０内でそれ以上は引張材ｂについていかなくなる。ウェッジ牽引板２０ｂも同様である。このときから引張材ｂには本格的に定着荷重がかかり、その定着荷重は引張材ｂに対する外部定着が解除されるまで持続される。
【００７３】
図２２は、地下構造物工事後、引張材ｂの外部定着が解除される瞬間、引張材ｂにかかっていた定着荷重に相応する反力により引張材ｂが先端側にはねとびながらウェッジ牽引板２０ｂを押す。よって、ウェッジ牽引板２０ｂは全ウェッジ１０を一挙に引いていく。ウェッジ牽引板２０ｂの弾性フック２５はフック孔６４を通過してフック係止爪６５にかかる。
【００７４】
しかし、もし弾性フック２５がフック係止爪６５に到達していなかったと判断した場合には、引張材ｂの外側端をハンマーなどで圧打してフック２５がフック係止爪６５にかかるようにする。このようにウェッジ牽引板２０ｂがウェッジ１０を引いて前進する間、一方ではウェッジ開きリング３０が全ウェッジ１０を遠心方向に開けるようになる。こういう作動が複合的に起きることによって引張材ｂはウェッジ１０によるウェッジ挟みから外れることになる。
【００７５】
引張材ｂの先端部に対するウェッジ挟みが解除された状態で引張材の外側端を引っ張ると引張材ｂが抜けてくるが、ウェッジ１０とウェッジ牽引板２０ｂは引張材ｂについてこない。引張材ｂの先端部に対するウェッジ挟みがすでに完全に解かれた状態であり、またキャップ６０ｂのフック係止爪６５には弾性フック２５がかかってウェッジ牽引板２０ｂをロックした状態でありながらウェッジ牽引板２０ｂにはウェッジ１０の牽引爪１５がかかり引張材ｂを引抜しても引っ張られない状況であるからである。
【００７６】
＜ロックリングー安定リング状内部定着体（ｃ４）＞
図２３は、前記ロックリング状内部定着体ｃ１の主要構成要素の中でウェッジ１０がリング角１８が形成されたウェッジ１０ｂに切り替えられ、ウェッジ安定リング３６とリング受け３８が追加され、かつ変形したキャップ６０ｃを適用したロックリングー安定リング状内部定着体ｃ４を示すものである。
【００７７】
ウェッジ安定リング３６は引張材の先端部が挟んだウェッジ１０ａのリング角１８に挟んだままウェッジ筒４０のリング座４５にまたがったウェッジロックリング３２の前面とキャップ６０ｃの斜面６６間に挟み、ウェッジ１０ｂが退かないよう一時的に固定するもので、強弾性金属製Ｃリングである。それからリング受け３８はウェッジ１０ａの外部リング溝１１に挟んだウェッジロックリング３２上でウェッジ安定リング３６の後面外側縁を支えてキャップ６０ｃの斜面６６との間に挟んだウェッジ安定リング３６を姿勢よく安定させる厚い金属リングである。
【００７８】
キャップ６０ｃは後端の内側縁が斜面６６であることが特徴である。この斜面６６はウェッジ筒４０のリング座４５にまたがったウェッジロックリング３２の前にかけたリング受け３８との間に外側縁が挟まるウェッジ安定リング３６の前面縁に対して一時的に固定させてから、地中のアンカー孔内に定着された内部定着体ｃ５でその引張材に定着荷重がかかるときに、その引張材ｂにウェッジ１０ａがついていくことによって、そのリング角１８がウェッジ安定リング３６から抜けてしまうと同時にウェッジ安定リング３６が弾力的に縮まりキャップ６０ｃの斜面６６とリング受け３６間で容易に抜けるようにすることによってあとで外部定着が解除された引張材によってウェッジ１０ｂが退くときにそのウェッジ安定リング３６がウェッジ１０ｂの後退を妨害する障害物にならないようにするものである。
【００７９】
この内部定着体ｃ４もウェッジ１０ｂとウェッジ牽引板２０およびウェッジ開きリング３０の組み立てからチューブｈがかぶらせた引張材ｂの先端部をウェッジ筒４０の引張材孔４２に挿入し、ウェッジ１０ｂに差し挟むまでは前記ロックリング状内部定着体ｃｌと同様の順番に行なう。ただし、ウェッジ１０ｂの先端側でリング受け３８を挟んでウェッジロックリング３２の前に載せ、そのリング角１８にウェッジ安定リング３６を挟む作業が追加されるという点だけが違う。
【００８０】
ウェッジ筒４０の先端にキャップ６０ｃを締結する。そうすると、ウェッジ安定リング３６の後面はリング受け３８に接し一ウェッジ安定リング３６の前面外側縁はキャップ６０ｃの斜面６６により押される。このように組立てられた内部定着体ｃ４からウェッジ安定リング３６はウェッジ１０ｂの前をふさぐので勝手に退かないようにする。この状態は内部定着体ｃ４の組立て後、施工現場の地中アンカー孔に挿入して定着させ、その引張材ｂに相当な引張力んがかかるまで持続される。
【００８１】
こうして内部定着体ｃ４に引張材ｂの先端を挟み込んで固定してから取扱、運搬、施工途中に衝撃や引張材ｂの揺動などにも関係なくウェッジ１０ｂが勝手に退かないようになるので引張材除去形内部定着体ｃ４の組立て信頼度が高い。ロックリングー安定リング状内部定着体ｃ４の高い組立て信頼度はグラウンドアンカーの施工品質を高くすることはもちろん、地中アンカー孔に内部定着体ｃ４を挿入する前に引張材ｂの先端に対するウェッジ１０ｂによるウェッジ挟みが維持されているかどうかの可否をいちいち点検していた煩さもなくなる。
【００８２】
図２４は、地中アンカー孔ｄに前記内部定着体ｃ４を挿入し、グラウト材ｅを充填し定着してからその引張材ｂに定着荷重をかけるとウェッジ筒４０内でウェッジ１０ｂのみに引張材ｂにより引かれる。こうしてウェッジ座４１の誘導によって遠心方向に縮んでもっと強く引張材ｂを固く締めつく。そうするうちにある時点に至るとウェッジ１０ｂのリング角１８がウェッジ安定リング３６から抜くときがくる。
【００８３】
グラウンドアンカー用引張材として用いる鋼撚線の限界降伏荷重は１５トンをちょっと超えるがグラウンドアンカー用引張材として使用するときの設計定着荷重は大体１０〜１１トンである。実験した結果、引張材ｂに定着荷重をかけるときにおよそ２〜５トン前後にウェッジ安定リング２６からウェッジ１０ｂのリング角１８が抜く事実を確認することができた。必要によってはリング角１８が抜ける荷重を調節することもできる。
【００８４】
リング角１８が抜けることによって内部障害物がなくなるウェッジ安定リング３６は自体の弾性とキャップ６０ｃの斜面６６が遠心方向に押そうとする力が合わせることによって、縮んでキャップ６０ｃとリング受け３８の間で抜ける。このように抜けたウェッジ安定リング３６はキャップ６０ｃの低に自然落下される。その間ウェッジ１０ｂの無断後退を阻止していたウェッジ安定リング３６がなくなると引張材ｂの外部定着が解除されたときにウェッジ１０ｂは退ける状況に変わる。
【００８５】
図２５は、定着荷重はかかった引張材ｂの外部定着を解除する。引張材ｂの外部定着が解除される瞬間、定着荷重と同じ大きさの反力により引張材ｂは先端側にはねとぴ、ウェッジ牽引板２０を押し、ウェッジ牽引板２０は全てのウェッジ１０ｂを一挙に引張っていく。ウェッジ１０ｂはウェッジ筒４０の先端側に移動しながら外部リング溝１１がウェッジロックリング３２から外れ、ウェッジ開きリング３０は全てのウェッジ１０ｂを遠心方向に開く。そうするうちに、ウェッジ１０ｂのロック溝１７がウェッジロックリング３２の内側面に一致される瞬間、弾力的に縮んでロック溝１７をかけ締める。それでウェッジ１０ｂはそれ以上は退かない。
【００８６】
また、ウェッジ筒４０内でウェッジ１０ｂが最大限に開いて引張材ｂに対するウェッジ挟みが放された状態である。ウェッジ１０ｂによるウェッジ挟みが解除された引張材ｂは土流壁側でその外側端を手で引っ張るだけで容易に引抜し、除去することができる。ウェッジ挟みが解除された状態で引張材ｂを引抜してもウェッジ１０ｂはロックリング３２によりロックされた状態なので引張材ｂについていかない。
【００８７】
＜角ネジー安定リング状内部定着体（ｃ５）＞
図２６は角ネジ状内部定着体（ｃ２）のウェッジ１０をリング角１８を有するウェッジ１０ｂに切り替、前記ウェッジ安定リング３６を追加適用し、かつ変形されたキャップ６０ｄを使用した内部定着体ｃ５を示したものである。ここで、ウェッジ安定リング３６と角ネジ状牽引板２０ａ″、斜面６６を有するキャップ６０ｄおよびウェッジ安定リング３６の構造と役割は前述どおりである。ただし、ウェッジ安定リング３６の位置は前記内部定着体ｃ４とは若干異なる。
【００８８】
つまり、ウェッジ１０ｂのリング角１８に挿されたウェッジ安定リング３６をウェッジ筒４０リング座４５とキャップ６０ｄの斜面６６間に位置づけて軽く挟んだものである。この場合、リング座４５とりング角１８間に距離差がある点を考慮し、その距離差ほどリング座４５を高めてリング座４５と斜面６６間に挟んだウェッジ安定リング３６とウェッジ１０ｂの先端面を一致させて、リング角１８にかぶせたウェッジ安定リング３６の姿勢安定を図ることによってウェッジ安定リング３６がきちんと技能を発揮するようにする必要がある。
【００８９】
＜複数形内部定着体（ｃ６）＞
以上で説明した内部定着体ｃｌ〜ｃ５は一本の引張材ｂを使用した例で、二本以上の引張材を使用しなければならない程度に大きい定着荷重用として設計されたグラウンドアンカー用の引張材除去形内部定着体もある。その一例として複数形内部定着体ｃ６の一種類を上げて説明する。
【００９０】
図２７は、前記内部定着体の中で第一実施例のロックリング状内部定着体ｃ１を例として二組を糾合した二口形内部定着体を示したものである。二組以上の内部定着体ｃ１、ｃ１を組み合わせる場合は図２８のごとく各内部定着体ｃｌ、ｃ１の引張材ｂ、ｂが挿入される位置に引張材孔７１、７１が穿孔された補助板７０を使用する。
【００９１】
補助板７０が耐荷体の一部機能を担当する場合、歪変形に対比して相当な厚さを有するもので使用する。補助板７０上に複数の内部定着体ｃｌ、ｃｌを載せ、角ウェッジ筒４０、４０の引張材孔４２、４２と補助板７０側の引張材孔７１、７１の中心を合わせてからウェッジ筒４０、４０の下周を補助板７０に溶接して一体化する。
【００９２】
それから、前記実施例と同様にウェッジ筒４０、４０内のウェッジ１０ごとに引張材ｂの先端部を挟んでグラウンドアンカーを組み立てる。三口形以上の多口形内部定着体は前記の要領に依拠して組み立てる。図２７の符号「７２」は耐荷体で「７３」はシール材を表示する。
【００９３】
【発明の効果】
以上説明した本発明の引張材除去形グラウンドアンカーの内部定着体用ウェッジと、ここに結合されるウェッジ牽引板からなるウェッジアッセンブリは、外部定着が解除される瞬間、引張材に作用する定着荷重に対応する反力によりウェッジ牽引板が全てのウェッジを引き退いて引張材の先端部に対するウェッジ挟みが解除され得る余地を提供するように構成したもので、グラウンドアンカーの引張材除去形内部定着体から引張材に対するウェッジ挟みを容易に解除できる源泉的技術を提供するものである。
【００９４】
また、前記ウェッジと、ウェッジ牽引板と、退くウェッジを開けてくれるウェッジ開きリングと、外部定着が解除された引張材の反力により退いたウェッジをロックしてウェッジ挟みが解除された引張材を引抜するときに退いたウェッジが引張材についてこないようにする退いたウェッジロック手段と、ウェッジ座を有するウェッジ筒と、ウェッジ座に敷いたりウェッジの円周面に付着して引張材の高い定着荷重にもウェッジがウェッジ座にくっつかないように防止するウェッジ分離膜と、ウェッジ筒の先端に締結して内蔵物を保護するキャップからなるグラウンドアンカー用の引張材除去形内部定着体は定着荷重がかかったグラウンドアンカーからその引張材の外部定着を解除すると引抜機などの除去装備なしにもとても容易に引張材を除去することができる。
【００９５】
また、先端にリング角を有するウェッジと、リング角を挟むウェッジ安定リングを追加に適用したグラウンドアンカー用の引張材除去形内部定着体はウェッジに引張材の先端部を挟んでウェッジ筒に安装し、かつウェッジ筒にキャップを締結して組み立ててから運搬・取扱・地中アンカー孔に挿入して定着させてから定着荷重をかけるまでの引張材の揺動とウェッジ筒およびウェッジなどに加えられる外部からの衝撃などにもウェッジ筒内でウェッジの姿勢が安定になるのでウェッジの無断後退により引張材の先端部に対するウェッジ挟みが緩くなることによって地中アンカー孔に内部定着体を挿入するごとに引張材の先端部に対するウェッジ挟み状態をいちいち点検するという不便さも減らすことができる。
【図面の簡単な説明】
【図１】  グラウンドアンカーの概略図である。
【図２】  本発明に係るグラウンドアンカーの引張材除去形内部定着体用ウェッジアッセンブリの断面図である。
【図３】  他の実施例に係るウェッジの断面図である。
【図４】  さらに他の実施例に係るウェッジの断面図である。
【図５】  さらなる他の変更実施例に係るウェッジの断面図である。
【図６】  角ネジ状ウェッジ牽引板の斜視図である。
【図７】  角ネジ状ウェッジ牽引板の変更実施例示図である。
【図８】  前記変形角ネジ状ウェッジ牽引板をウェッジ牽引爪にかけた状態の横断平面図である。
【図９】  角ネジ状ウェッジ牽引板の他の変更実施例示図である。
【図１０】  フック状ウェッジ牽引板の斜視図である。
【図１１】  ロックリング状内部定着体の分解図である。
【図１２】  図１１の組み立て断面図である。
【図１３】  図１１のＡ部の拡大図である。
【図１４】  地中アンカー孔に内部定着体を定着し、引張材に定着荷重をかけた状態の断面図である。
【図１５】  引張材の外部定着解除によりウェッジ挟みが解けた状態の断面図である。
【図１６】  角ネジー体形ウェッジ牽引板を適用した内部定着体の断面図である。
【図１７】  地中アンカー孔に内部定着体を定着し、引張材に定着荷重をかけた状態の断面図である。
【図１８】  引張材の外部定着解除によりウェッジ挟みが解除される状態の断面図である。
【図１９】  引張材キャップを有する角ネジー体形ウェッジ牽引板を適用した内部定着体の断面図である。
【図２０】  フックー体形ウェッジ牽引板を適用した内部定着体の組み立て断面図である。
【図２１】  地中アンカー孔に内部定着体を定着し、引張材に定着荷重をかけた状態の断面図である。
【図２２】  引張材の外部定着解除によりウェッジ挟みが解けた状態の断面図である。
【図２３】  ロックリングおよび安定リング装着形ウェッジを適用した内部定着体の組立て断面図である。
【図２４】  引張材に定着荷重がかかった状態の断面図である。
【図２５】  引張材の外部定着解除によりウェッジ挟みが解けた状態の断面図である。
【図２６】  角ネジー体形ウェッジ牽引板と安定リング装着形ウェッジを使用した内部定着体の断面図である。
【図２７】  複数形内部定着体の部分を切開した正面図である。
【図２８】  補助板の斜視図である。
【符号の説明】
ｌ…ロックリング状内部定着体
２…角ネジ状内部定着体
２′…変形角ネジ状内部定着体
３…フック状内部定着体
４…ロックリングー安定リング状内部定着体
５…角ネジー安定リング状内部定着体
７…複数形内部定着体
１０、１０ａ、ｂ…ウェッジ
１５…牽引爪
１６…内部リング溝
１７…ロック
１８…リング角
２０、２０ａ、ｂ…ウェッジ牽引板
２１…角ネジ
２２…側角
２３…引張材キャップ
２５…弾性フック
２６…ウェッジ安定リング
３０…ウェッジ開きリング
３２…ウェッジロックリング
３４…弾性リング
３８…リング受け
４０…ウェッジ筒
４１…ウェッジ座
４２…引張材孔
４５…リング座
５０…ウェッジ分離膜
６０、６０ａ〜ｃ…キャップ
６３…ネジ孔
６４…フック孔
６５…フックロック爪
６６…斜面
【図１】
0003694690.tif 000002
【図２】
0003694690.tif 000003
【図３】
0003694690.tif 000004
【図４】
0003694690.tif 000005
【図５】
0003694690.tif 000006
【図６】
0003694690.tif 000007
【図７】
0003694690.tif 000008
【図８】
0003694690.tif 000009
【図９】
0003694690.tif 000010
【図１０】
0003694690.tif 000011
【図１１】
0003694690.tif 000012
【図１２】
0003694690.tif 000013
【図１３】
0003694690.tif 000014
【図１４】
0003694690.tif 000015
【図１５】
0003694690.tif 000016
【図１６】
0003694690.tif 000017
【図１７】
0003694690.tif 000018
【図１８】
0003694690.tif 000019
【図１９】
0003694690.tif 000020
【図２０】
0003694690.tif 000021
【図２１】
0003694690.tif 000022
【図２２】
0003694690.tif 000023
【図２３】
0003694690.tif 000024
【図２４】
0003694690.tif 000025
【図２５】
0003694690.tif 000026
【図２６】
0003694690.tif 000027
【図２７】
0003694690.tif 000028
【図２８】
0003694690.tif 000029